【手続補正書】
【提出日】平成15年9月17日(2003.9.17)
【手続補正１】
【補正対象書類名】特許請求の範囲
【補正対象項目名】全文
【補正方法】変更
【補正の内容】
【特許請求の範囲】
【請求項１】
複数のプリミティブを含み、クライアントとサーバ間のネットワーク上での前記プリミティブの転送中において、前記プリミティブのそれぞれがクライアントにおけるコンピュータ読取り可能媒体内への、およびサーバにおけるコンピュータ読取り可能媒体内への少なくとも一時的な記憶のためのデータ構造であって、
前記データ構造が、被要求側のユーザのプレゼンス情報を要求するために、要求側のユーザのクライアントからサーバに提供されるプレゼンス獲得プリミティブ（３２）を含むこと、ならびにプレゼンス獲得プリミティブが要求側ユーザの識別子、被要求側ユーザの識別子、および要求されたプレゼンス値のリストを含む多様な情報要素を有すること、および
前記データ構造が、プレゼンス情報を提供するためにサーバから要求側ユーザクライアントに提供されるプレゼンスプリミティブ（３３）を含むこと、ならびに前記プレゼンスプリミティブが、被要求側ユーザの識別子および供給されたプレゼンス値のリストを含む多様な情報要素を有すること
を特徴とするデータ構造。
【請求項２】
前記データ構造が、被要求側のユーザのプレゼンス情報を要求側のユーザに提供するための承認を請求するために、サーバから被要求側のユーザのクライアントに提供される要求プレゼンス承認プリミティブ（３６）を含むこと、および該要求プレゼンス承認プリミティブ（３６）が要求側ユーザの識別子を含む多様な情報要素を有すること、および
前記データ構造が、被要求側ユーザのプレゼンス情報の前記要求側ユーザへの転送を承認するために被要求側ユーザクライアントからサーバに提供される承認プレゼンスプリミティブ（３７）を含むこと、および前記承認プレゼンスプリミティブが、要求側ユーザの識別子を含む多様な情報要素を有することを特徴とする請求項１記載のデータ構造。 
【請求項３】
前記データ構造が、メッセージを送る側のクライアントからサーバへ、およびサーバからメッセージを受ける側のクライアントへ提供されるメッセージプリミティブ（１４０）を含み、該メッセージプリミティブが、送る側クライアントの識別子、送る側ユーザの識別子およびメッセージコンテンツタイプの識別子を含む多様な情報要素を有する請求項１または２記載のデータ構造。
【請求項４】
前記データ構造が、サーバからメッセージを送る側のクライアントへ提供される配送プリミティブ（１４４、１４６）を含み、該配送プリミティブが、メッセージ配送のステータスを含む多様な情報要素を有する請求項３記載のデータ構造。
【請求項５】
送信または受信のためのデータ構造を少なくとも一時的に記憶する手段を有するデバイスであって、該データ構造が請求項１、２、３または４にかかわるものであることを特徴とするデバイス。
【請求項６】
複数のデバイスと通信できる少なくとも１つのサーバを有するシステムであって、該少なくとも１つのサーバと複数のデバイスのあいだで、請求項１、２、３または４にかかわるデータ構造を備えた通信プロトコルが使用されることを特徴とするシステム。
【請求項７】
前記プレゼンス値が、プレゼンス値または関係するプレゼンス値を修正するために少なくとも１つのサーバにより使用可能な関連付けられたスペースと時間の情報を有する請求項６記載のシステム。
【請求項８】
前記プレゼンス値が、空間と時間の情報に関連付けられる妥当性指標を有する請求項６または７記載のシステム。
【請求項９】
ユーザに関する選択されたプレゼンス情報に対するアクセスをあらかじめ承認するためにプレゼンス承認メッセージがユーザによって起動され、サーバがユーザから前記プレゼンス承認メッセージを受信する工程（３７、３８、６４；８４）と、
更新メッセージが更新側ユーザにより起動され、サーバが更新側ユーザから前記プレゼンス情報更新メッセージを受信する工程（３１、３５；８６）と、
応答が必要とされるプレゼンス情報を要求するユーザを含み、かつ要求されたプレゼンス情報を含む継続的な応答が必要とされるプレゼンス情報にあらかじめ加入している加入側ユーザを含む、プレゼンスサービス要求側ユーザから、サーバがプレゼンス情報要求メッセージを受信する工程（３２；８０）と、
サーバが、要求されたプレゼンス情報に対するアクセスがあらかじめ承認されているか否かを判断し、承認されていない場合には、プレゼンス情報が要求されている被要求側ユーザから承認を要求する工程（１３３ｆ）と、
および承認されている場合には、サーバが、応答が期待されている要求されたプレゼンス情報を、応答が期待されているプレゼンス情報を要求している要求側ユーザに提供し（８８、９０）、とくに更新側ユーザからプレゼンス情報更新メッセージを受信したのちに、継続的な応答が必要とされるプレゼンス情報に加入する加入側ユーザに要求されたプレゼンス情報を継続的に提供する工程（３３）
とにより特徴づけられる、サーバにより使用されるプレゼンス情報サービス管理方法。
【請求項１０】
前記プレゼンス情報要求メッセージのそれぞれが、メッセージ識別子、トランザクション識別子、および要求されたユーザの識別を含む多様な必須の情報要素を有するプリミティブからなる多様な情報要素を含む請求項９記載のプレゼンス情報サービス管理方法。
【請求項１１】
バディーリストユーザが、１または２以上の受取人側のユーザへ個別に、またはすべてのバディーリストへ、メッセージを送るためのサーバ上に、１または２以上のバディーリストを維持し、
前記受取人側のユーザがバディーリストを必ずしも意識しないで該受取人側のユーザが行なう返答を用いてバディーリストを参照することができず、かつ前記サーバ上の１または２以上のバディーリストを維持する前記バディーリストユーザが、バディリストプレゼンス情報にアクセスすることができる請求項９または１０記載のプレゼンス情報サービス管理方法。
【請求項１２】
クライアント向けのプレゼンス情報サービス管理方法を実行するサーバであって、
ユーザに関する選択されたプレゼンス情報へのアクセスを承認するためにプレゼンス承認メッセージがユーザによって起動され、ユーザから前記プレゼンス承認メッセージを受信する手段（３７、３８、６４；８４）と、
更新メッセージが更新側ユーザにより起動され、更新側ユーザから前記プレゼンス情報更新メッセージを受信する手段（３１、３５；８６）と、
応答が必要とされるプレゼンス情報を要求するユーザを含み、かつ要求されたプレゼンス情報を含む継続的な応答が必要とされるプレゼンス情報にあらかじめ加入している加入側ユーザを含む、プレゼンスサービス要求側ユーザからプレゼンス情報要求メッセージを受信する手段（４６ｓ；１３３ｉ）と、
要求されたプレゼンス情報へのアクセスが承認されているか否かを判断し、承認されていない場合には、プレゼンス情報が要求されている被要求側ユーザから承認を要求する手段（１３３ｆ）と、
応答が期待される要求されたプレゼンス情報を、応答が期待されるプレゼンス情報を要求する要求側ユーザに提供し、とくに更新側ユーザからプレゼンス情報更新メッセージを受信したのちに、継続的な応答が必要とされるプレゼンス情報に加入する加入側ユーザに、要求されたプレゼンス情報を継続的に提供する手段（５０ｓ；１３３ｋ）
を含むことを特徴とするサーバ。
【請求項１３】
前記プレゼンス情報要求メッセージが、メッセージ識別子、トランザクション識別子、および被要求側ユーザの識別を含む多様な必須の情報要素を有するプリミティブからなる請求項１２記載のサーバ。
【請求項１４】
バディーリストユーザが、１または２以上の受取人側のユーザへ個別に、またはすべてのバディーリストへ、メッセージを送るためのサーバ上に、１つまたはそれ以上のバディーリストを維持し、
前記受取人側のユーザが、バディーリストを必ずしも意識しないで該受取人側のユーザが行なう返答を用いてバディーリストを参照することができず、かつ前記サーバ上の１または２以上のバディーリストを維持する前記バディーリストユーザが、バディリストプレゼンス情報にアクセスすることができる請求項１２または１３記載のサーバ。